(57)【要約】【課題】充電用の接点構造を改良し、耐久性の向上やコストの削減等が実現できる携帯端末を提供する。【解決手段】鍔部２６が張り出した収容開口１１を有する筐体２や、鍔部２６に重なる縁部３ａに形成された接点開口１３を有し、収容開口１１を密閉する蓋体３、接点構造２０を介して充電可能なバッテリー７を備える。接点構造２０は、鍔部２６と縁部３ａとを接着する接着シート２１、バッテリー７に通電する電極２３と電気的に接続された接点端子板２２ａを有している。一部分を接点開口１３を通じて外部に露出した状態で、接点端子板２２ａが鍔部２６と接着シート２１との間に挟み込まれている。【選択図】図４
2013187792.tif 000002
【特許請求の範囲】
【請求項１】
鍔部が張り出した収容開口を有する筐体と、
前記鍔部に重なる縁部と、当該縁部に形成された接点開口とを有し、前記収容開口を密閉する蓋体と、
前記筐体に収容され、接点構造を介して充電可能なバッテリーと、
を備え、
前記接点構造は、
前記鍔部と前記縁部とを接着する両面が接着可能な接着シートと、
前記筐体の内部に設置され、前記バッテリーに通電する電極と、
前記電極と電気的に接続された接点端子板と、
を有し、
一部分を前記接点開口を通じて外部に露出した状態で、前記接点端子板が、前記鍔部と前記接着シートとの間に挟み込まれている携帯端末。
【請求項２】
請求項１に記載の携帯端末において、
前記接点端子板と、当該接点端子板と湾曲部を介して連なるとともに当該接点端子板と対向する電極端子板とを含む中継端子を有し、
前記中継端子が、前記接点端子板と前記電極端子板とで前記鍔部を挟み込むように前記筐体に装着されている携帯端末。
【請求項３】
請求項２に記載の携帯端末において、
前記電極が、弾性を有する支点部と、当該支点部を支点に揺動可能な腕部とを有し、当該腕部を介して前記電極端子板と接している携帯端末。
【請求項４】
請求項３に記載の携帯端末において、
前記バッテリーが前記収容開口の直下に収容されている携帯端末。
【発明の詳細な説明】
【技術分野】
【０００１】
本発明は、携帯電話等の携帯端末に関し、その中でも特に充電用の接点構造に関する。
【背景技術】
【０００２】
多くの携帯端末では、電源としてバッテリーがケースに内蔵されている。この場合、ケースの表面に充電用の接点が露出していて、その接点を介してバッテリーの充電が行われるのが一般的である。
【０００３】
構造上、接点からケース内部に水が浸入し易いため、通常、接点には隙間を密閉する防水対策が施されている。防水対策の具体例としては、パッキンやＯリングなどが用いられる場合が多いが（例えば特許文献１）、両面テープを用いる方法も提案されている（例えば特許文献２）。
【０００４】
特許文献２では、リアケースの裏面の防水壁に、薄板状の電極を防水型の両面テープで粘着して充電端子部を構成している。両面テープには、充電端子開口部の形状に合わせて、ひとまわり大きな型抜孔が形成されている。防水壁には、密閉性を高めるために、充電端子開口部の周囲を取り囲む凸形状のリブが形成されている。
【０００５】
電極は、リアケースに別途組み付けられるコネクタハウジングに収容されている。詳しくは、両面テープで粘着された電極は、電極と同程度の厚みの壁体によって支持されており、壁体の背面側は、その中央及び両端の部分を除いて空間となっている。両面テープの型抜孔の縁部分は、その空間の真上に位置している。
【先行技術文献】
【特許文献】
【０００６】
【特許文献１】特開２００９−５９５８６号公報
【特許文献２】特開２０１０−２７３２１３号公報（図６）
【発明の概要】
【発明が解決しようとする課題】
【０００７】
充電時には、電極は、外部の充電端子によって奥方へ押し込まれる。
【０００８】
特許文献２の充電端子部の場合、電極の充電端子開口部に面した部分（露出部）の下方は、中心部分を除き、壁体だけで支持されている。両面テープの型抜孔の縁部分は丁度その上に位置している。
【０００９】
従って、充電端子の差し込みががたつくなどして、露出部の周辺部分に力が加わると、電極及び壁体が撓んで両面テープが剥がれるおそれがある。従って、耐久性の面で課題がある。
【００１０】
更に、特許文献２の充電端子部の場合、部品としてコネクタハウジングを別途形成し、リアケースに組み付ける必要がある。従って、構造が複雑になるうえ、リアケース内に比較的大きな設置スペースを要し、部材コストや製造コストの面で課題がある。
【００１１】
本発明の目的は、耐久性の向上やコストの削減等が実現できる携帯端末を提供することにある。
【課題を解決するための手段】
【００１２】
本発明に係る携帯端末は、鍔部が張り出した収容開口を有する筐体や、前記鍔部に重なる縁部と、当該縁部に形成された接点開口とを有し、前記収容開口を密閉する蓋体、前記筐体に収容され、接点構造を介して充電可能なバッテリーを備える。前記接点構造は、前記鍔部と前記縁部とを接着する両面が接着可能な接着シートと、前記筐体の内部に設置され、前記バッテリーに通電する電極と、前記電極と電気的に接続された接点端子板とを有している。そして、一部分を前記接点開口を通じて外部に露出した状態で、前記接点端子板が、前記鍔部と前記接着シートとの間に挟み込まれている。
【００１３】
このように構成された携帯端末によれば、接点開口から、バッテリーに通電する電極と電気的に接続されている接点端子板の一部が外部に露出している。従って、外部の充電装置の充電端子を、接点開口を通じて接点端子板に接触させることで、バッテリーの充電ができる。
【００１４】
筐体の鍔部と蓋体の縁部とが接着シートで接着されており、接点端子板は、その筐体の鍔部と接着シートとの間に挟み込まれている。すなわち、接点端子板は、その全体が密着した状態で筐体の鍔部に支持されている。従って、充電端子でどの方向から強く押されても、接点端子板はほとんど撓まないので、接着シートが剥がれるおそれはない。
【００１５】
筐体の鍔部を利用して接点構造が構成されているので、構造が簡素化され、別部品を組み付ける必要もない。従って、設置スペースやコストが削減できる。
【００１６】
具体的には、前記接点端子板と、当該接点端子板と湾曲部を介して連なるとともに当該接点端子板と対向する電極端子板とを含む中継端子を有し、前記中継端子が、前記接点端子板と前記電極端子板とで前記鍔部を挟み込むように前記筐体に装着されているようにするのが好ましい。
【００１７】
そうすれば、接点構造の組み付け時には、中継端子を鍔部に差し込むだけで、筐体に中継端子を装着することができ、作業性が向上する。
【００１８】
この場合、前記電極が、弾性を有する支点部と、当該支点部を支点に揺動可能な腕部とを有し、当該腕部を介して前記電極端子板と接しているようにするとよい。
【００１９】
そうすれば、電極は、腕部が電極端子板に接する方向に常時押し付けられた状態で、中継端子と電気的に接続することができる。従って、多少の衝撃や基板の位置ずれ等があっても、接続を安定して確保できる。
【００２０】
また、前記バッテリーは、前記収容開口の直下に収容するのが好ましい。
【００２１】
そうすれば、電極とバッテリーとの間が極めて短い配線で接続できる。従って、構造が簡素化され、部材コストも削減できる。
【発明の効果】
【００２２】
本発明によれば、接点構造の簡素化や防水性の向上などが図れるので、耐久性の向上やコストの削減等が実現できる。
【図面の簡単な説明】
【００２３】
【図１】実施形態の携帯端末を示す概略斜視図である。（ａ）は正面側を示し、（ｂ）は背面側を示している。
【図２】図１におけるＸ−Ｙ線での概略断面図である。
【図３】比較例の接点構造を示す概略図である。
【図４】実施形態の接点構造を示す概略断面図である。
【図５】実施形態の接点構造を分解して示す概略斜視図である。
【発明を実施するための形態】
【００２４】
以下、本発明の実施形態を図面に基づいて詳細に説明する。ただし、以下の説明は、本質的に例示に過ぎず、本発明、その適用物あるいはその用途を制限するものではない。
【００２５】
図１及び図２に、本発明を適用した携帯端末１を示す。携帯端末１は、片手に持って操作できる程度の大きさであり、長方形板状の外観形状を有している。携帯端末１は、筐体２、蓋体３、透明板４、表示装置５、支持部材６、バッテリー７、及び基板８などで構成されている。透明板４の側が正面であり、筐体２の側が背面である。
【００２６】
筐体２は、トレイ状の部材であり、長方形状の底壁部２ａと、底壁の周縁に連なる長方形枠状の周壁部２ｂとを有している。底壁部２ａには、長辺側の両縁近傍まで拡がる矩形の開口（収容開口１１）が、一方の短辺の側（便宜上、下端部１ａ側とする）に偏在して形成されている。周壁部２ｂの内側には支持部材６が嵌め込まれている。
【００２７】
筐体２の正面側は透明板４で覆われている。表示装置５は、透明板４の内側に設置されている。表示装置５は、透明板４を通じて操作可能なアイコン等を表示する（タッチパネル）。また、筐体２の内部には、各種電子部品が実装された基板８が設置されている。表示装置５や基板８は支持部材６によって支持されている。
【００２８】
蓋体３は、薄板状の外装部材である。蓋体３は、筐体２に取り付けられて収容開口１１を密閉する。収容開口１１の直下に収容空間１２が形成されており（図５参照）、そこに直方体形状をしたバッテリー７が収容されている。蓋体３には、一対の接点開口１３，１３が形成されている。これら接点開口１３，１３の下側に、バッテリー７の充電に用いられる接点構造２０が設けられている。
【００２９】
図３に、本発明の適用前の接点構造１００を示す（比較例）。
【００３０】
この接点構造１００は、接点用の端子１０１やパッキン１０２が組み込まれた接点ユニット１０３、及び筐体に設けられたユニット組付部１０４などで構成されている。この接点構造１００は、ユニット組付部１０４に接点ユニット１０３を嵌め込んで組み立てられる。防水性は、ユニット組付部１０４と接点ユニット１０３との隙間をパッキン１０２で塞ぐことによって確保している。
【００３１】
この接点構造１００の場合、特許文献２の充電端子部と同様に、部品として接点ユニット１０３を別途形成して筐体に組み付ける必要があり、構造やコストの面で課題があった。そこで、本実施形態の接点構造２０では、筐体等の構造を活用し、構造の簡素化やコストの削減が図れるように工夫されている。
【００３２】
図４及び図５に、本実施形態の接点構造２０を示す。
【００３３】
接点構造２０は、接着シート２１、中継端子２２、電極２３などを用いて構成されている。
【００３４】
底壁部２ａにおける収容開口１１の周囲の部分には、その外面から僅かに一段下がった蓋用凹部２５が形成されている。収容開口１１の下端部１ａ側には、底壁部２ａと平行に鍔部２６が張り出している。鍔部２６の外面は蓋用凹部２５の底面を構成し、その分だけ収容開口１１の下端部１ａ側の蓋用凹部２５は相対的に広くなっている。収容開口１１の下端部１ａ側の蓋用凹部２５（鍔部２６の部分）には、更に一段下がった端子用凹部２７が形成されている。
【００３５】
蓋用凹部２５は、蓋体３よりも僅かに大きな寸法及び形状に形成されており、蓋体３は蓋用凹部２５に嵌め入れられる。従って、蓋体３は、その外周部分に、鍔部２６と上下に重なる縁部３ａを有している。接点開口１３，１３は、その縁部３ａの下端部１ａ側の部分に横並びに形成されている。
【００３６】
接着シート２１は、両面が接着可能な防水性を有する薄膜状の部材である。接着シート２１は、筐体２の蓋用凹部２５と蓋体３の縁部３ａとの間に挟み込まれ、これら両者を接着する。図５に示したように、接着シート２１は、蓋用凹部２５の形状に応じて矩形枠形状に型抜きされている。また、接着シート２１には、接点開口１３の位置及び形状に合わせて一対の抜孔２１ａ，２１ａが形成されている。各抜孔２１ａは接点開口１３よりもひとまわり大きく形成されている。
【００３７】
中継端子２２は、電気伝導性に優れた金属板を断面Ｕ字状に折り曲げて形成された部材である。具体的には、中継端子２２は、互いに対向する接点端子板２２ａ及び電極端子板２２ｂ、及びこれらに連なる断面Ｕ字状の湾曲部２２ｃを有している。無負荷の状態では、接点端子板２２ａ及び電極端子板２２ｂの先端側は互いに近づき、先窄まり状になっている。中継端子２２は、接点開口１３に対応して２つ一組で用いられる。
【００３８】
図５に示したように、中継端子２２は、接点端子板２２ａと電極端子板２２ｂとで鍔部２６を挟み込むように筐体２に装着される。中継端子２２は鍔部２６に圧着するため、多少の衝撃では抜け外れない。接点端子板２２ａは、端子用凹部２７に嵌め込まれ、中継端子２２は所定位置に位置決めされる。端子用凹部２７に嵌め込まれた接点端子板２２ａの外面は、蓋用凹部２５の底面と面が一致するように寸法設計されている。
【００３９】
接点端子板２２ａは、鍔部２６と接着シート２１との間に隙間無く挟み込まれる。接点端子板２２ａの真上には、抜孔２１ａ及び接点開口１３が位置する。従って、接点端子板２２ａの外面の一部は、抜孔２１ａ及び接点開口１３を通じて外部に露出する。
【００４０】
電極２３は、図４に示したように、電気伝導性に優れた金属板を折り曲げて形成された部材であり、鍔部２６の下方に位置する基板８に取り付けられている。電極２３は、接点開口１３に対応して２つ一組で用いられる。各電極２３は、バッテリー７の充電端子と配線でそれぞれ接続されており（図示せず）、電極２３を通じてバッテリー７に通電し、バッテリー７を充電することができる。
【００４１】
電極２３は、収容空間１２に隣接する鍔部２６の下方の空間を利用して設置されているため、極めて短い配線で接続できる。従って、構造が簡素化され、部材コストも削減できる。
【００４２】
電極２３は、基板８に取り付けられた基部２３ａと、基部２３ａに連なって断面Ｕ字状に湾曲し、弾性を有する支点部２３ｂと、基部２３ａと対向し、支点部２３ｂを支点に揺動可能な腕部２３ｃとを有している。腕部２３ｃには、基部２３ａとは反対側に断面円弧状に湾曲して突出する接触凸部２３ｄが形成されている。
【００４３】
電極２３は、無負荷では、図４に仮想線で示したような状態であるが、筐体２に組み込まれた状態では、図４に実線で示したように、腕部２３ｃが揺動し、接触凸部２３ｄが電極端子板２２ｂに圧接する。すなわち、電極２３は、接触する方向に常時押し付けられた状態で、中継端子２２と電気的に接続される。
【００４４】
従って、多少の衝撃や基板８の位置ずれ等があっても、接続を安定して確保できる。また、腕部２３ｃに接触凸部２３ｄが形成されているため、中継端子２２を後付する場合に、中継端子２２の装着や腕部２３ｃの揺動を円滑に誘導することができる。
【００４５】
このように構成された接点構造２０によれば、接点開口１３から中継端子２２の接点端子板２２ａの一部が露出しており、中継端子２２の電極端子板２２ｂは、バッテリー７に通電する電極２３に接している。従って、外部の充電装置の充電端子を、接点開口１３を通じて接点端子板２２ａに接触させることで、バッテリー７の充電ができる。
【００４６】
接点端子板２２ａは、その全体が密着した状態で筐体２の鍔部２６に支持されている。従って、充電端子でどの方向から強く押されても、接点端子板２２ａはほとんど撓まないので、接着シート２１が剥がれるおそれはない。使用時に蓋体３に加わる力は、接着シート２１を密着させる方向に作用するため、密閉性が向上する。
【００４７】
しかも、収容開口１１の周囲及び接点開口１３の周囲は、いずれも広い範囲で面接着した接着シート２１によって封止されている。従って、防水性を安定して確保できる。
【００４８】
筐体２の一部を利用したことで、接続構造が簡素化され、別部品を組み付ける必要もない。従って、設置スペースやコストが削減できる。
【００４９】
なお、本発明にかかる携帯端末は、上述した実施形態に限定されず、それ以外の種々の構成をも包含する。例えば、中継端子２２や電極２３の形態は、仕様に応じて適宜変更できる。中継端子２２は、少なくとも接点端子板２２ａの部分があればよく、接点端子板２２ａと電極２３とがリードで接続されていてもよい。
【産業上の利用可能性】
【００５０】
携帯電話や電子手帳、電子書籍、タブレット型端末等に利用できる。
【符号の説明】
【００５１】
１  携帯端末
２  筐体
３  蓋体
３ａ  縁部
７  バッテリー
８  基板
１１  収容開口
１３  接点開口
２０  接点構造
２１  接着シート
２２  中継端子
２２ａ  接点端子板
２２ｂ  電極端子板
２２ｃ  湾曲部
２３  電極
２３ａ  基部
２３ｂ  支点部
２３ｃ  腕部
２３ｄ  接触凸部
２６  鍔部
【図１】
2013187792.tif 000003
【図２】
2013187792.tif 000004
【図３】
2013187792.tif 000005
【図４】
2013187792.tif 000006
【図５】
2013187792.tif 000007